(57)【要約】      （修正有）【課題】小容器を数個程度積み重ね又は重ね合わせ又はまとめて、それを合成樹脂等の包装物でラッピングすることで、店頭と食卓兼用とすることを可能にした醤油容器を提供する。【解決手段】食卓兼用容器（円筒形）１は、厚さ数センチの円筒形で注ぎ口２を設けた小容器（食卓容器）３を、数個積み重ね又は重ね合わせてパッケージ化する。重ね合わせた小容器（食卓容器）３間には、必要に応じて紙又は合成樹脂製のセパレータ４を挟めて滑り防止をし、全体を包装材でラッピングして食卓兼用容器（円筒形）１に形成する。【選択図】図１
0003167204.tif 000002
【実用新案登録請求の範囲】
【請求項１】
醤油容器において、合成樹脂、ガラス、紙、セラミック、金属及び木材の一以上により、例えば円筒形又は円形又は角形又は角柱形又は球形とした少容量で注ぎ口を持つ小容器（食卓容器）を形成する。そして、それらを一体的に組合せ又は重ね合わせてパッケージ化（必要に応じて包装材、ケース、セパレータを用いる。）することで、醤油の酸化及び高濃度化を防止しつつ、食卓と店頭で求める機能を両立させた食卓兼用の醤油容器としたことを特徴とする食卓兼用の醤油容器。
【請求項２】
請求項１において、合成樹脂、ガラス、紙、セラミック、金属及び木材の一以上により、例えば円筒形又は円形又は角形又は角柱形又は球形とした少容量で注ぎ口を持つ小容器（食卓容器）を形成したことを特徴とする上記請求項１記載の食卓兼用の醤油容器
【請求項３】
請求項１及び２において、合成樹脂、ガラス、紙、セラミック、金属及び木材の一以上により、例えば円筒形又は円形又は角形又は角柱形又は球形とした少容量で注ぎ口を持つ小容器（食卓容器）を形成し、それらを一体的に組合せ又は重ね合わせてパッケージ化（必要に応じて包装材、ケース、セパレータを用いる。）したことを特徴とする上記請求項１記載の食卓兼用の醤油容器。
【請求項４】
請求項１、２及び３において、合成樹脂、ガラス、紙、セラミック、金属及び木材の一以上により、例えば円筒形又は円形又は角形又は角柱形又は球形とした少容量で注ぎ口を持つ小容器（食卓容器）を形成し、それらを一体的に組合せ又は重ね合わせてパッケージ化（必要に応じて包装材、ケース、セパレータを用いる。）することで、醤油の酸化及び高濃度化を防止ししたことを特徴とする上記請求項１記載の食卓兼用の醤油容器。
【請求項５】
請求項１、２、３及び４において、醤油容器に食卓と店頭で求める機能を両立させたことを特徴とする上記請求項１記載の食卓兼用の醤油容器
【考案の詳細な説明】
【技術分野】
【０００１】  本考案は、醤油の容器において、合成樹脂等により、例えば円筒形又は円形又は角形又は角柱形又は球形とした少容量で注ぎ口を持つ小容器（食卓容器）を形成する。そして、それらを一体的に組合せ又は重ね合わせてパッケージ化（必要に応じて包装材、ケース、セパレータを用いる。）することで、醤油の酸化及び高濃度化を防止しつつ、食卓と店頭で求める機能を両立させた食卓兼用の醤油容器とした食卓兼用の醤油容器に関する。
【背景技術】
【０００２】  従来の醤油は、店頭ではプラスチックの袋物やボトルで販売され、それらを食卓で専用容器に詰め替えて使用し、又は店頭で少容量のそれらやガラス瓶による食卓専用の容器として販売されている。【０００３】  食卓用と店頭用に区分する理由は、前者には雰囲気や少量で繰り返し使用する機能を考慮したデザイン性、利便性及び耐久性が必要で、後者には醤油を購入して家庭まで運ぶ労力と効率性や価格等の経済性が必要なためである。【０００４】  また、醤油は一旦開栓すると、酸化が始まって一月も持たずに味や風味が劣化し高濃度となる性質があるため、店頭用として労力、一月の使用量及び経済性等を勘案した１リットル詰め等が主流である。【０００５】  最近では、店頭でプラスチックの袋物で使用時に注ぎ口部のみで空気に触れさせて酸化を防止した商品があるが、高価かつ食卓用に必要な機能とは異なり不適当である。【０００６】  文献１は、ボトルの積み重ねと、積み重ねた場合の回り止め機能を有するスタッキングボトルで、上細りテーパ外周面を持つボトルのテーパ外周面に段差を設け、ボトル底部に嵌合用凹部を設けている。【０００７】  しかし、店頭で一本のボトル醤油より同容量の積み重ねボトルの醤油を選ぶのは、それ自体が食卓兼用（詰替不要）となるか、割高なコストを凌ぐ価値を有する場合だけである。【０００８】
【文献１】
特許公開２００８ー１００７２９
【考案の開示】
【考案が解決しようとする課題】
【０００９】  従来の醤油容器は、醤油の味や風味が劣化する酸化と蒸発による高濃度化に加えて、食卓で必要な雰囲気や少量で繰り返し使用する機能を考慮したデザイン性、利便性及び耐久性と、店頭で必要な効率性及び経済性をまとめられずにいた。【００１０】  そのため、店頭用の合成樹脂製の袋やボトルや紙パック等の醤油を購入し、それを食卓用容器に詰め替えて使用したり、店頭から少容量の食卓用容器を購入してそのまま食卓で使用している。【００１１】  また、酸化と高濃度化に対しても、店頭用の容器では各家庭が一月で使い切れる容量等としつつも食卓での詰め替え以降の酸化等は放置されたり、最初から店頭で少容量の食卓用容器を購入して使用するだけである。【００１２】  すなわち、従来の醤油容器は、醤油の酸化及び高濃度化に対する有効な手段がないまま、食卓と店頭で求められる機能ごとに対応する容器を作製するしかなく、不十分、不経済及び非効率なものであった。
【課題を解決するための手段】
【００１３】  本考案は、まず合成樹脂等の材料から一以上を用いて食卓用の小容器を形成する。この際、食卓用に必要な雰囲気と料理等に手軽に繰り返し使用できる少容量の容器であることを考慮したデザイン性、利便性及び耐久性を備える。【００１４】  その形状は、その一部又は全部を、例えば円筒形、円形、角形、角柱形、球形とした少容量で注ぎ口を持つ小容器（食卓容器）とするが、円弧状や楕円状や半円状も含む。【００１５】  次に、上記小容器をそのまま店頭用とするためにパッケージ化を行う。その場合、それらを一体的に組合せ又は重ね合わせ又はまとめて、店頭用で必要な、醤油を家庭まで運ぶ労力と効率性や価格等の経済性を備える。【００１６】  パッケージ化は、例えば合成樹脂等のセパレータを小容器間に挟め、又はその底部等に滑り防止用テープを用い、又はその底部外周部等に簡易な凹凸を設け、又は収納用ケースに収める等の方法による。【００１７】  例えば、上記小容器を数個程度積み重ね又は重ね合わせ又はまとめて、それを合成樹脂等の包装物でラッピング等をすることで、店頭と食卓兼用の醤油容器を形成する。
【考案の効果】
【００１８】  本考案の効果は、醤油の酸化及び高濃度化を防止しつつ、食卓と店頭で求める機能等を両立させる容器を提供して、十分に効率的な経済性等を確保したことである。【００１９】  具体的には、店頭用の容器を食卓用の少容量の容器としてそのまま使用可能としたことによって、第一に食卓での詰め替え手間を省いて効率的にしたこと、第二に酸化と高濃度化を防止して当初の醤油の味等を維持したことである。【００２０】  また、第三に食卓での機能等（デザイン性や利便性等）と、店頭での労力や経済性（徳用感等）を両立させて手間や無駄をなくし経済性を高めたこと、第四に長期の保存及び使用を可能としたことである。
【考案を実施するための最良の形態】
【００２１】  本考案について、図１及び図２の実施例に基づいて説明する。ただし、本考案はこれらに限るものではなく、作図も主要な構成物のみとする。【００２２】  図１は、本考案の実施例（１）を示す斜視図で、食卓兼用容器（円筒形）１は、厚さ数センチの円筒形で注ぎ口２を設けた小容器（食卓容器）３を、数個積み重ね又は重ね合わせてパッケージ化する。【００２３】  その際、重ね合わせ等の小容器（食卓容器）３間には、必要に応じて主に紙又は合成樹脂製のセパレータ４を挟めて滑り防止をして後、それら全体を包装材５でラッピング等をして食卓兼用容器（円筒形）１に形成する。【００２４】  図２は、本考案の実施例（２）を示す斜視図で、食卓兼用容器（ケース入り角形）７は、小容器（食卓容器）３−１を紙箱又は合成樹脂製のケース８に収納し、それら全体を包装材５でラッピング等をしてパッケージ化する。【００２５】  なお、上記の食卓兼用容器（円筒形）１及び食卓兼用容器（ケース入り角形）７を水平型（横置き）としても良い。また、小容器（食卓容器）３、３−１の底部外周部等に簡易な凹凸又はテーピング６を施して滑り防止を図っても良い。
【図面の簡単な説明】
【００２６】
【図１】本考案の実施例（１）を示す斜視図。
【図２】本考案の実施例（２）を示す斜視図。
【符号の説明】
【００２７】１      食卓兼用容器（円筒形）
２      注ぎ口
２−１  注ぎ口
３      小容器（食卓容器）
３−１  小容器（食卓容器）
４      セパレータ
５      包装材
６      凹凸又はテーピング
７      食卓兼用容器（ケース入り角形）
８      ケース
【図１】
0003167204.tif 000003
【図２】
0003167204.tif 000004
【手続補正書】
【提出日】平成23年1月20日(2011.1.20)
【手続補正１】
【補正対象書類名】実用新案登録請求の範囲
【補正対象項目名】全文
【補正方法】変更
【補正の内容】
【実用新案登録請求の範囲】
【請求項１】
合成樹脂、ガラス、紙、セラミック、金属及び木材の一以上により、円筒形又は円形又は角形又は角柱形又は球形とした少容量で注ぎ口を持つ小容器の食卓容器に形成したものを、一体的に組合せ又は重ね合わせてパッケージ化をし、又は必要に応じて包装材、ケース、セパレータを用いてパッケージ化をしたことを特徴とする食卓兼用の醤油容器。
【請求項２】
合成樹脂、ガラス、紙、セラミック、金属及び木材の一以上により、円筒形又は円形又は角形又は角柱形又は球形とした少容量で注ぎ口を持つ小容器の食卓容器を形成したことを特徴とする請求項１記載の食卓兼用の醤油容器。
【請求項３】
合成樹脂、ガラス、紙、セラミック、金属及び木材の一以上により、円筒形又は円形又は角形又は角柱形又は球形とした少容量で注ぎ口を持つ小容器の食卓容器に形成したものを、一体的に組合せ又は重ね合わせてパッケージ化したことを特徴とする請求項１記載の食卓兼用の醤油容器。
【請求項４】
合成樹脂、ガラス、紙、セラミック、金属及び木材の一以上により、円筒形又は円形又は角形又は角柱形又は球形とした少容量で注ぎ口を持つ小容器の食卓容器に形成したものを、必要に応じて包装材、ケース、セパレータを用いてパッケージ化したことを特徴とする請求項１記載の食卓兼用の醤油容器。
【手続補正２】
【補正対象書類名】明細書
【補正対象項目名】０００１
【補正方法】変更
【補正の内容】
【０００１】  本考案は、合成樹脂等により、円筒形又は円形又は角形又は角柱形又は球形とした少容量で注ぎ口を持つ小容器の食卓容器に形成したものを、一体的に組合せ又は重ね合わせてパッケージ化をし、又は必要に応じて包装材、ケース、セパレータを用いてパッケージ化をした食卓兼用の醤油容器に関する。